(57)【要約】【課題】  ワンタッチ操作で上蓋のロックまたは解除を可能し、機械的にも強いロックが得られ、また気密性の高い封止が行われ、耐久性にも優れた密閉容器を提供する。【解決手段】  上蓋２の中央に枢着した回動板８を一方向に回動させることにより、各コーナー嵌合部材１３の基片１３ａの中央部を連結杆１４により内方に引き寄せ、そのときのコーナー嵌合部材１３における基片１３ａの両端より垂下する垂下片１３ｂの下端部に設けた内向き傾斜部の内方への移動により、内向き傾斜部を容器本体の開口部に設けた外向きフランジの外周下縁に楔入させて、外向きフランジと上蓋２とを密着させるようにする。【選択図】  図２
2005200142.tif 000002
【特許請求の範囲】
【請求項１】
上面が開口する箱型の容器本体の上端開口部に、平面視多角形の外向きフランジを設け、その上方に、前記開口を閉塞するとともに、前記外向きフランジとほぼ同形をなす上蓋を設け、該上蓋の上面中央に回動板を枢着し、前記上蓋の各コーナー部に、水平の基片の両端より垂下片が連設され、かつ各垂下片の下端部に内向き傾斜部が形成されたコーナー嵌合部材を嵌合可能とし、前記各コーナー嵌合部材の基片の中央部と回動板の偏心部とを連結杆をもって連結し、前記回動板を一方向に回動させることにより、前記各コーナー嵌合部材の基片の中央部を内方に引き寄せ、そのときの内向き傾斜部の内方への移動により、前記内向き傾斜部を外向きフランジの外周下縁に楔入させて、前記外向きフランジと上蓋とを密着させるようにしたことを特徴とする密閉容器。
【請求項２】
外向きフランジと上蓋との対向面のいずれか一方に、他方に密着して気密を保つパッキンを設けた請求項１記載の密閉容器。
【請求項３】
回動板に、上蓋のコーナー部の数に対応する複数の腕部を設け、各腕部の先端部に長手方向を向く長孔を設け、この長孔に摺動可能として嵌合した可動ピンをもって、連結杆を回動板に連結した請求項１または請求項２記載の密閉容器。
【請求項４】
上蓋の上面に、回動板の一方向への回動に伴って、各可動ピンを長孔に沿って漸次離心方向に押し出すカム面を有するピン誘導カムを固着した請求項３記載の密閉容器。
【請求項５】
ピン誘導カムにおけるカム面に連続して、各可動ピンが回動板の一方向への回動に伴って回動し、思案点を僅かに越えた位置で係合するようにした凹みを設けた請求項４記載の密閉容器。
【請求項６】
連結杆を平面視Ｌ字状とし、連結杆と回動板との連結点が、連結杆とコーナー嵌合部材との連結点と回動板の枢着の中心とを結ぶ直線の延長上に位置する思案点を越えて回動可能とした請求項１〜５のいずれかに記載の密閉容器。
【請求項７】
回動板の円周方向に互いに隣接する連結杆の内端部を、回動板の上下に交互に配設して、上下方向を向く軸をもって回動板にそれぞれ連結した請求項１〜６のいずれかに記載の密閉容器。
【請求項８】
外向きフランジの外周部における少なくともコーナー部の下面に、下面が断面弧状をなし、前記下面にコーナー嵌合部材における内向き傾斜部が摺接するようにした下向き突条を設けた請求項１〜７のいずれかに記載の密閉容器。
【発明の詳細な説明】
【技術分野】
【０００１】
本発明は、例えば放射性廃棄物等の密閉を必要とする物質を収容するための密閉容器に関する。
【背景技術】
【０００２】
従来のこの種の密閉容器としては、複数箇所のロック部をワンタッチで同時にロック解除できるようにしたものがある(例えば、特許文献１参照)。
【特許文献１】特開平１１−２６８７５６号公報(図１，図３)
【発明の開示】
【発明が解決しようとする課題】
【０００３】
しかし、上記密閉容器は、ロック操作やロック解除操作により、蓋を容器本体に締め付けたり、緩めたりする機能を有しておらず、蓋の気密性を高めると、ロック操作やロック解除操作が重くなって、操作しづらくなり、また操作を軽力で行えるようにすると、気密性が悪くなるという問題がある。
【０００４】
本発明は、従来の技術が有する上記のような問題点に鑑み、ワンタッチ操作で上蓋のロックまたは解除を行うことができるとともに、ロックまたは解除操作により、上蓋を容器本体に締め付けたり緩めたりする機能を有し、気密性の高い封止が行われ、また機械的に強いロックが得られ、耐久性にも優れた密閉容器を提供することを目的としている。
【課題を解決するための手段】
【０００５】
本発明によると、上記課題は、次のようにして解決される。
(１)  上面が開口する箱型の容器本体の上端開口部に、平面視多角形の外向きフランジを設け、その上方に、前記開口を閉塞するとともに、前記外向きフランジとほぼ同形をなす上蓋を設け、該上蓋の上面中央に回動板を枢着し、前記上蓋の各コーナー部に、水平の基片の両端より垂下片が連設され、かつ各垂下片の下端部に内向き傾斜部が形成されたコーナー嵌合部材を嵌合可能とし、前記各コーナー嵌合部材の基片の中央部と回動板の偏心部とを連結杆をもって連結し、前記回動板を一方向に回動させることにより、前記各コーナー嵌合部材の基片の中央部を内方に引き寄せ、そのときの内向き傾斜部の内方への移動により、前記内向き傾斜部を外向きフランジの外周下縁に楔入させて、前記外向きフランジと上蓋とを密着させるようにする。
【０００６】
(２)  上記(１)項において、外向きフランジと上蓋との対向面のいずれか一方に、他方に密着して気密を保つパッキンを設ける。
【０００７】
(３)  上記(１)または(２)項において、回動板に、上蓋のコーナー部の数に対応する複数の腕部を設け、各腕部の先端部に長手方向を向く長孔を設け、この長孔に摺動可能として嵌合した可動ピンをもって、連結杆を回動板に連結する。
【０００８】
(４)  上記(３)項において、上蓋の上面に、回動板の一方向への回動に伴って、各可動ピンを長孔に沿って漸次離心方向に押し出すカム面を有するピン誘導カムを固着する。
【０００９】
(５)  上記(４)項において、ピン誘導カムにおけるカム面に連続して、各可動ピンが回動板の一方向への回動に伴って回動し、思案点を僅かに越えた位置で係合するようにした凹みを設ける。
【００１０】
(６)  上記(１)〜(５)項のいずれかにおいて、連結杆を平面視Ｌ字状とし、連結杆と回動板との連結点が、連結杆とコーナー嵌合部材との連結点と回動板の枢着の中心とを結ぶ直線の延長上に位置する思案点を越えて回動可能とする。
【００１１】
(７)  上記(１)〜(６)項のいずれかにおいて、回動板の円周方向に互いに隣接する連結杆の内端部を、回動板の上下に交互に配設して、上下方向を向く軸をもって回動板にそれぞれ連結する。
【００１２】
(８)  上記(１)〜(７)項のいずれかにおいて、外向きフランジの外周部における少なくともコーナー部の下面に、下面が断面弧状をなし、前記下面にコーナー嵌合部材における内向き傾斜部が摺接するようにした下向き突条を設ける。
【発明の効果】
【００１３】
本発明によると、次のような効果を奏することができる。
(ａ)  請求項１記載の発明によると、回動板を一方向に回動させると、連結杆を介して各コーナー嵌合部材の基片が上蓋中央部に引き寄せられ、コーナー嵌合部材の内向き傾斜部が上蓋内方へ移動されるので、内向き傾斜部が外向きフランジの外周下縁に楔入され、強力に外向きフランジと上蓋とが密着させられる。
【００１４】
一方、回動板を逆方向に回動すれば、各コーナー嵌合部材の基片が外方に向けて押し出されて、コーナー嵌合部材の内向き傾斜部が上蓋外方へ離れるので、外向きフランジの外周下縁に楔入された内向き傾斜部の嵌合が解かれ、上蓋が外向きフランジから離れ、上蓋を開くことができるようになる。
【００１５】
したがって、回動板を回す簡単な回動操作だけで、上蓋の締付けおよび解除をワンタッチで行うことができるだけでなく、上蓋を容器本体に強く締め付けたり緩めたりすることができ、気密性の高い封止を実現することができる。
また、上蓋を容器本体に締め付けるとき以外は、回動板を軽力で回動させることができ、耐久性にも優れている。
【００１６】
(ｂ)  請求項２の発明によると、ロックの際に、上蓋とフランジとの間に介在されたパッキンにより、容器の気密性がさらに向上する。
【００１７】
(ｃ)  請求項３の発明によると、連結杆およびコーナー嵌合部材の移動範囲を大とすることができるので、コーナー嵌合部材を上蓋および外向きフランジのコーナー部に着脱し易くなり、また回動板に腕部があるので、回動板を回動操作し易くなる。しかも、ロック操作時の最終段階において、上蓋を強力に締め付ける際には、可動ピンが長孔に沿って回動板の中心方向に移動し、連結杆を引き寄せるモーメントが小さくなるので、コーナー嵌合部材を上蓋の中心方向に強力に引き寄せることができる。
【００１８】
(ｄ)  請求項４の発明によると、ピン誘導カムのカム面の形状を適当に定めることによって、回動板の回動に伴う連結杆の引き寄せ量を自由に設定することができる。
【００１９】
(ｅ)  請求項５の発明によると、可動ピンが、カム面に設けられた凹みに一旦係合すると、トグル作用により、回動板のロック解除方向への回動が阻止されるので、ロック状態を安定して維持することができ、確実なロックが可能となる。
【００２０】
(ｆ)  請求項６の発明によると、連結杆が、回動板の軸を回避して、可動ピンが思案点を越えた位置に達するまで回動することができ、もってトグル作用をもたらすことができる。
【００２１】
(ｇ)  請求項７の発明によると、回動板を大きく回動しても、各連結杆が、隣接する連結杆またはその連結杆の内端部を回動板に連結する軸と緩衝することがないので、回動板の最大回動範囲を大とすることができる。
【００２２】
(ｈ)  請求項８の発明によると、外向きフランジの外周部の下面に下向き突条を設け、その断面弧状の下面にコーナー嵌合部材における内向き傾斜部が摺接するようにしたので、容器本体への上蓋の締め付けを円滑に行うことができる。
【発明を実施するための最良の形態】
【００２３】
図１〜図６は、本発明の一実施形態である密閉容器を示す。
この密閉容器は、図１に示すように、箱型の容器本体(１)と、容器本体(１)の上に装着された上蓋(２)とを備えている。
【００２４】
容器本体(１)は、上面が開口する平面視ほぼ正方形の金属製の容器からなり、図３に示すように、上端開口部(３)には、外向きフランジ(４)が一体的に設けられている。
【００２５】
外向きフランジ(４)の上面中央部には、２条のパッキン保持枠(５)(５)が外向きフランジ(４)の外周縁に沿って上向突設されており、ゴムチューブ状のパッキン(６)が両パッキン保持枠(５)(５)内に嵌合保持されて、パッキン保持枠(５)より上方に突出している。
【００２６】
外向きフランジ(４)の下面縁部には、後述するコーナー嵌合部材(13)と係合して上蓋(２)の封止強度を高める丸棒状の下向き突条(７)が外向きフランジ(４)の外縁に沿って溶接等により固着されている。この下向き突条(７)は、外向きフランジ(４)の各コーナーに近い部分のみに設け、外向きフランジ(４)の各辺の中間部分においては省略してもよい。
【００２７】
上蓋(２)は、容器本体(１)の外向きフランジ(４)とほぼ同じ大きさの平面視正方形の金属製板からなり、容器本体(１)の上端開口部(３)を閉塞し得るようにしたもので、その上面中心部には、図２，図４および図５に示すような十文字状の回動板(８)が上下方向を向く枢軸(９)をもって枢着されている。
枢軸(９)の上端には、回動板(８)をスパナ(図示略)等をもって回動させるための六角頭部(9a)が設けられており、六角頭部(9a)は上蓋(２)に溶接等をもって固着されている。
十文字状の回動板(８)の各腕部(8a)の先端部には、長手方向を向く長孔(10)が設けられている。
【００２８】
上蓋(２)の各コーナー部(11)には、上蓋(２)の対角線とほぼ直交する方向を向く基片(13a)の両端より垂下片(13b)(13b)が連設され、かつ各垂下片(13b)(13b)の下端部に内向き傾斜部(12)が設けられたコーナー嵌合部材(13)が嵌合されている。
【００２９】
回動板(８)と各コーナー嵌合部材(13)との間は、上蓋(２)の中央寄りの部分が枢軸(９)側に向かってＬ字状に折曲された連結杆(14)により連結されている。回動板(８)の各腕部(8a)と連結杆(14)との間は、長孔(10)内を摺動する可動ピン(15)で連結され、連結杆(14)とコーナー嵌合部材(13)の基片(13a)の中央部との間は、連結ピン(16)で連結されている。
【００３０】
この例では、回動板(８)の円周方向に互いに隣接する連結杆(14)の内端部を、回動板(８)の上下に交互に配設して、上下方向を向く可動ピン(15)をもって回動板(８)にそれぞれ連結しあるので、回動板(８)を大きく回動しても、各連結杆(14)が、隣接する連結杆(14)またはその内端部を回動板(８)に連結する可動ピン(15)と緩衝することがなく、回動板(８)の最大回動範囲を大とすることができる。
【００３１】
回動板(８)が取付けられた上蓋(２)の中心部上面には、連結杆(14)の数に対応して、４個のピン誘導カム(17)が、枢軸(９)を中心として点対称の配置で溶接等により固着されている。各ピン誘導カム(17)の外周面には、回動板(８)の一方向への回動に伴って、各可動ピン(15)を長孔(10)に沿って漸次枢軸(９)の離心方向に押し出すカム面(17a)が設けられている。
【００３２】
また、ピン誘導カム(17)の外周面には、カム面(17a)に連続して、各可動ピン(15)が回動板(８)の一方向への回動に伴って回動し、思案点(Ｐ)を僅かに越えた位置で係合するようにした凹み(18)が設けられている。
思案点(Ｐ)は、図２および図６(ｄ)に示すように、連結ピン(16)の中心と枢軸(９)の中心とを結ぶ直線の延長線(Ｌ)(ほぼ上蓋(２)の対角線に一致する)と、カム面(17a)とが交わる点である。
【００３３】
かくして、回動板(８)を一方向に回動させることにより、各コーナー嵌合部材(13)の基片(13a)の中央部を内方に引き寄せ、そのときの内向き傾斜部(12)の内方への移動により、内向き傾斜部(12)を外向きフランジ(４)の外周部の下向き突条(７)の下方に楔入させて、外向きフランジ(４)と上蓋(２)とを強力に密着させることができる。
【００３４】
図５において、(19)は、枢軸(９)を、ピン誘導カム(17)を支持する筒体(20)から抜け止めする止めねじ、(21)は、各可動ピン(15)に外嵌して、各可動ピン(15)を長孔(10)から抜け止めする止め輪である。
【００３５】
図６(ａ)〜(ｄ)は、本実施形態の密閉容器がロックされる様子を段階的に示す。
図５に示す解除状態では、可動ピン(15)とピン誘導カム(17)とは互いに離れ、コーナー嵌合部材(13)は上蓋(２)のコーナー部(11)から外れた状態になっている。
そのため、手で六角頭部(9a)または回動板(８)を掴んで上蓋(２)を持ち上げれば、上蓋(２)は容器本体(１)の上端開口部(３)から取り外され、上端開口部(３)が開放される。したがって、例えば、放射性廃棄物等を、開放された容器本体(１)内に投入することによって、仮詰めまたは一時的に保管するこができる。
【００３６】
容器本体(１)上に上蓋(２)を装着して、回動板(８)を時計方向に回動すると、ロック動作が開始する。そして、図６(ｂ)に示すように、回動板(８)を、図６(ａ)に示す状態から４５°回動させたときには、まだ可動ピン(15)とピン誘導カム(17)とは係合(当接)しないが、回動板(８)の腕部(8a)の回動により、連結杆(14)は、上蓋(２)の中心方向に徐々に引き寄せられる。
【００３７】
図６(ｃ)に示すように、回動板(８)を、図６(ａ)に示す解除状態から９０°まで回動させると、可動ピン(15)がピン誘導カム(17)のカム面(17a)に当接し、強力な引き締めが開始する。
すなわち、回動板(８)の時計方向の回動に伴って、可動ピン(15)がピン誘導カム(17)のカム面(17a)に沿って摺動することにより、可動ピン(15)は、長孔(10)内を漸次枢軸(９)から離れる方向に押し出され、それによって、連結杆(14)を介して、コーナー嵌合部材(13)が、上蓋(２)の中心方向に徐々に引き寄せられる。
【００３８】
回動板(８)を、図６(ｃ)に示す位置からさらに４５°だけ回動し、可動ピン(15)が図６(ｄ)に示す思案点(Ｐ)(この場合、図６(ａ)に示す解除状態から１３５°の回動角)に達するときには、連結杆(14)は最も内方に引き寄せられ、コーナー嵌合部材(13)の内向き傾斜部(12)が外向きフランジ(４)の外周縁部における下向き突条(７)の下面に楔入して、外向きフランジ(４)と上蓋(２)とが密着される。
【００３９】
図６(ｄ)に示すように、可動ピン(15)が思案点(Ｐ)を越えて、ピン誘導カム(17)の凹み(18)に係合するまで回動板(８)を回動させると、上蓋(２)がロックされる。
すなわち、可動ピン(15)が凹み(18)に係合することによって、可動ピン(15)の戻り方向の抵抗力が大となり、回動板(８)が解除方向に回動しにくくなり、上蓋(２)が容器本体(１)の外向きフランジ(４)に密着された状態を維持することができる。
【００４０】
上蓋(２)を開くときは、上記抵抗力に抗して、回動板(８)を解除方向に回動させる。すると、上記と逆の作動で、外向きフランジ(４)の各コーナー部に嵌合していたコーナー嵌合部材(13)は、外側方に外され、上蓋(２)を開くことができる。
【００４１】
このような構成の密閉容器であるので、回動板(８)を回動させるワンタッチの操作で、上蓋(２)を簡単にロックまたは解除することができるとともに、機械的に強力なロックが得られ、また気密性の高い封止が行われ、耐久性にも優れたものとなる。
【００４２】
本発明は、上記の実施形態のみに限定されるものではなく、幾多の変化変形が可能である。
例えば、上述の実施形態では、容器本体(１)を正方形の箱型としたが、これを三角形以上の多角形の箱型とすることができる。その場合には、多角形のコーナーの数に応じた数のコーナー嵌合部材，連結杆およびピン誘導カム片等を設ける。
【００４３】
また、上述の実施形態では、各可動ピンに対応してそれぞれ独立するピン誘導カムを設けたが、各ピン誘導カムを一つにした一体型のピン誘導カムにしてもよい。
【００４４】
さらに、連結杆(14)は、必ずしもＬ字状の連杆にする必要はなく、直線または「し」の字のように曲線したものとしてもよく、パッキン(６)も、外向きフランジ(４)に設ける必要はなく、外向きフランジ(４)と対向する上蓋の対向面(下面)に設けてもよい。
【産業上の利用可能性】
【００４５】
本発明は、主に放射性廃棄物等を収容する密閉容器に用いるが、異臭を発する産業廃棄物を収容する密閉容器、または悪臭を発する有機物の廃棄物等の密封を必要とする密閉容器等にも、適用することができる。
【図面の簡単な説明】
【００４６】
【図１】本発明の一実施形態である密閉容器の閉止状態の斜視図である。
【図２】同じく、密閉容器の拡大平面図である。
【図３】図２のIII−III線に沿う拡大断面図である。
【図４】解除状態としたときの回転操作部分の拡大平面図である。
【図５】図４のＶ−Ｖ線に沿う拡大断面図である。
【図６】回動板を解除状態からロック状態まで回動させるときの作用説明図である。
【符号の説明】
【００４７】
(１)容器本体
(２)上蓋
(３)上端開口部
(４)外向きフランジ
(５)パッキン保持枠
(６)パッキン
(７)下向き突条
(８)回動板
(8a)腕部
(９)枢軸
(9a)六角頭部
(10)長孔
(11)コーナー部
(12)内向き傾斜部
(13)コーナー嵌合部材
(13a)基片
(13b)垂下片
(14)連結杆
(15)可動ピン
(16)連結ピン
(17)ピン誘導カム
(17a)カム面
(18)凹み
(19)止めねじ
(20)筒体
(21)止め輪
(Ｐ)思案点
(Ｌ)延長線
【図１】
2005200142.tif 000003
【図２】
2005200142.tif 000004
【図３】
2005200142.tif 000005
【図４】
2005200142.tif 000006
【図５】
2005200142.tif 000007
【図６】
2005200142.tif 000008